(57)【要約】      （修正有）【課題】表示紙に描かれた内容が昼夜を問わず視覚でき、しかも、夜間においては照明によりさらに明瞭となり、また、照明の電力が切れることなく安定して確保されるために、夜間に不案内となるような不都合や危険を防止でき、たとえ災害時でも安全性の高い案内が保障される案内掲示板を提供する。【解決手段】左右１対の支柱４間に矩形の囲みが裏板９で封じられた前面開口の表示窓３を有する板状本体１が主体であって、これには表示窓３の前面に透かし出す案内紙５を保持する掲示装置７が具備され、また、この板状本体１には、表示窓内から案内紙５を透かすＬＥＤ照明によるバックライト装置１３と、ＬＥＤの消費電気が充電されるバッテリー１５と、バッテリー１５に充電する発電のためのソーラーパネル１７とが装備されている。【選択図】図２
0003196557.tif 000002
【実用新案登録請求の範囲】
【請求項１】
左右１対の支柱間に矩形の囲みが裏板で封じられた前面開口の表示窓を有する板状本体が主体であって、これには表示窓の前面に透かされる案内紙を保持する掲示装置が具備され、また、この板状本体には、表示窓内から案内紙を透かし出すLED照明によるバックライト装置と、LEDの消費電気が充電されるバッテリーと、バッテリーに充電する発電のためのソーラーパネルとが装備されていることを特徴とする場所等の案内掲示板。
【請求項２】
前記の掲示装置は、表示窓を略Ｕ字形にチャンネル部材が囲む上端開放のスライド窓縁と、このスライド窓縁に対して着脱する案内紙の挟持シートとからなり、両側チャンネル部材には上端に前傾斜に切口を設けてあり、また、挟持シートは、表示紙が透かされるよう半透明の裏シートと透明な表シートとが開き可能に上端で摘み部材で止められてなることを特徴とする請求項１記載の案内掲示板。
【請求項３】
板状本体に、支えとなる副部板を上端で拝み状に連結して開閉可能に設け、板状本体と副部板との両方又は一方にソーラーパネルが装着してあることを特徴とする請求項１又は２記載の案内掲示板。
【考案の詳細な説明】
【技術分野】
【０００１】
この考案は、演会や冠婚葬祭等の会場、その他災害時避難場所等を表示したり、道案内したりするために道際や会場入り口に立てられる場所等の案内掲示板に関する。
【背景技術】
【０００２】
従来の案内掲示板は、立て掛け又は支え付きの立て看板式であって、形態については、左右縦枠の上端と下端近くとに横桟を取り付けて矩形の表示窓を形成した骨組みであって、表示窓には、表示紙が取り替え可能に納まるように、それを挟み付ける裏板と透明シート又は透明板とを装着したものであった。
【０００３】
使用については、葬儀会場の場所案内の場合であると、亡くなられた故人の氏名と、葬儀会場の名称、その方向を示す矢印等が表示紙に掲載され、表示紙を裏板と透明シートとの間に納めた状態で、その案内掲示板を道際に視覚しやすく立てられる。
【考案の概要】
【考案が解決しようとする課題】
【０００４】
上記のような従来の案内掲示板によれば、表示紙に描かれた文字等が太陽光線の反射で前面の透明シートに透けて見えるため、描かれた内容が理解され案内の役割を果たすことができるが、夜間の暗がりでは視覚し難いという問題があった。
【０００５】
この考案は、上記のような実情に鑑みて、表示紙に描かれた内容が昼夜を問わず視覚でき、しかも、夜間においては照明によりさらに明瞭となり、また、照明の電力が切れることなく安定して確保されるために、夜間に不案内となるような不都合や危険を防止でき、たとえ災害時でも安全性の高い案内が保障される案内掲示板を提供することを課題とした。
【課題を解決するための手段】
【０００６】
上記の課題を解決するために、この考案は、左右１対の支柱間に矩形の囲みが裏板で封じられた前面開口の表示窓を有する板状本体が主体であって、これには表示窓の前面に透かし出す案内紙を保持する掲示装置が具備され、また、この板状本体には、表示窓内から案内紙を透かすLED照明によるバックライト装置と、LEDの消費電気が充電されるバッテリーと、バッテリーに充電する発電のためのソーラーパネルとが装備されていることを特徴とする場所等の案内掲示板を提供する。
【０００７】
案内掲示板を上記のように構成したから、これを使用するときには、掲示装置に案内紙を付けて表示窓の前面に当てた状態において、バックライト装置を点灯すると、案内紙の記載内容が透けて明るく照らし出される。その電力は日中にソーラーパルにより蓄電される。
【考案の効果】
【０００８】
以上説明したように、この考案の案内掲示板によれば、表示紙に描かれた内容が昼夜を問わず視覚でき、しかも、夜間においてはさらに注意をひきやすく照明によりさらに明瞭となり、また、ソーラーパネルとバッテリーにより日中に電気が備蓄されることになるので、照明の電力が切れることなく安定して確保されるために、夜間に不案内となるような不都合や危険がなく、また、形態から運搬・保管が容易であるので、緊急時に持ち運ぶことにより設置ができるので、たとえ災害時でも安全性の高い案内が迅速に確保されるという優れた効果がある。
【図面の簡単な説明】
【０００９】
【図１】この考案の案内掲示板を示す斜視図である。
【図２】図１のA−A線矢視の断面図である。
【図３】B―B線矢視の拡大断面図である。
【図４】同案内掲示板における掲示装置を概略において示す斜視説明図である。
【考案を実施するための形態】
【００１０】
この考案の案内掲示板Pは、板状本体１単独でそれを電柱などに立て掛けて設置できるものであるが、図１の二点鎖線の仮想線で示すように、板状本体１の上端に支えとなる副部板２９を連結して取り付けておけば、立て掛けの電柱等が不要であり、拝み状に安定してどこにでも安定して設置することができる。次に、単独の場合について実施例を説明する。なお、ソーラーパネルは、板状本体１と副部板２９とのいずれにおいても設けることができる。
【実施例】
【００１１】
案内掲示板Pは、板状本体１が主体となるもので、これには、別途に着脱して使用する透写幕となる挟持シート２が付属している。
【００１２】
板状本体１は、左右一対の支柱４，４間に上端と下端部とに横桟６，６を設けるほか、その上下間の間にも上下横桟８，８を設けた骨組みとなっており、骨組みに裏板９を止めることにより、上下横桟８，８の間が裏板９で封じられ前面が開放する縦長矩形の表示窓３として構成されている。そして、表示窓３の前面開口に対して案内紙５の掲示装置７が構成される。また、表示窓３の上にソーラーパネル１７が装着され、下にはバッテリー１５が内装される。
【００１３】
図４は、掲示装置７を分かりやすく概略的に拡大して示したもので、これについては、板状本体１に、表示窓３の左右及び下端に沿って、つまりU字形の囲みにチャンネル部材１２，１２，１２が配列され、各部材を内向き溝にして、挟持シート２が受け入れられるスライド窓縁１９が組み立てられる。そのため、チャンネル部材１２の溝でスライド下降が可能であり、挟持シート２がスライド下端で止められるようになっている。
【００１４】
一方、この挟持シート２は、同図に示すように、アルミ押出形材からなる摘み部材２７が上端にあって、半透明なプラスチックの裏シート２３と、透明な表シート２５とを二つ合わせにして摘み部材２７に開閉可能に止められている。
【００１５】
そこで、両シート２３，２５の間に案内紙５を差し挟んで摘み部材２７で持ち上げると、案内紙５が挟まれた二重シート状態となるので、これをスライド窓縁１９に上端から差し込むことができる。また、案内紙５を取り換えるときには、摘み部材２７で引き抜いて取り外す。なお、スライド窓縁１９の上端には、チャンネル部材１２の上端が手前に斜めの切口１６として差入れやすく開口される。
【００１６】
バックライト装置１３は、表示窓３内にLED照明を内装したもので、これについては、同窓の奥にある裏板９にアルミ箔面のシートを貼って反射面１８を設け、窓内周面にはLED電球２０の配列帯２２が配設される。
【００１７】
板状本体１の下端部は、表板２４を嵌め込むことにより、空間室となっており、内部にソーラーパネル１７から送電されるバッテリー１５が内装され、該部の側面には、携帯電話の充電ができるように、USBケーブルの端子３０を差し込むUSBポート２８が設けられる。
【００１８】
また、下端には、バックライト装置１３の点滅スイッチ３２と、USBポート２８の開閉スイッチ３４が設けられ、上端部裏側には、全体的な電気の制御装置３６が設けられる。
【符号の説明】
【００１９】
P  案内掲示板
１  板状本体
２  挟持シート
３  表示窓
４  支柱
５  案内紙
７  掲示装置
８  横桟
１２  チャンネル部材
１３  バックライト装置
１５  バッテリー
１６  切口
１７  ソーラーパネル
１９  スライド窓縁
２３  裏シート
２５  表シート
２７  摘み部材
２９  副部板
【図１】
0003196557.tif 000003
【図２】
0003196557.tif 000004
【図３】
0003196557.tif 000005
【図４】
0003196557.tif 000006
【手続補正書】
【提出日】平成27年1月9日(2015.1.9)
【手続補正１】
【補正対象書類名】実用新案登録請求の範囲
【補正対象項目名】請求項１
【補正方法】変更
【補正の内容】
【請求項１】
左右１対の支柱間に矩形の囲みが裏板で封じられた前面開口の表示窓を有する板状本体が主体であって、これには表示窓の前面に透かされる案内紙を保持する掲示装置が具備され、また、この板状本体には、表示窓内から案内紙を透かし出すLED照明によるバックライト装置と、LEDの消費電気が充電されるバッテリーと、バッテリーに充電する発電のためのソーラーパネルとが装備されていることを特徴とする案内掲示板。
【手続補正２】
【補正対象書類名】明細書
【補正対象項目名】０００６
【補正方法】変更
【補正の内容】
【０００６】
上記の課題を解決するために、この考案は、左右１対の支柱間に矩形の囲みが裏板で封じられた前面開口の表示窓を有する板状本体が主体であって、これには表示窓の前面に透かし出す案内紙を保持する掲示装置が具備され、また、この板状本体には、表示窓内から案内紙を透かすLED照明によるバックライト装置と、LEDの消費電気が充電されるバッテリーと、バッテリーに充電する発電のためのソーラーパネルとが装備されていることを特徴とする案内掲示板を提供する。